【手続補正書】
【提出日】平成18年7月24日(2006.7.24)
【手続補正１】
【補正対象書類名】明細書
【補正対象項目名】００２７
【補正方法】変更
【補正の内容】
【００２７】
上述したように、図１０Ａから１０Ｃに示される実施態様の構成要素は、記載を容易にするために以下に提示されるようにいくつかのサブアセンブリに分類される。そのようなサブアセンブリは、これに限られるものではないが、容器サブアセンブリ１００、ハウジング・サブアセンブリ２００及び押しボタン・サブアセンブリ３００を含んでいる。本発明の組み立てられた実施態様が図１から５に示されている。また、説明に役立つ断面図が図６から９に示されている。
【手続補正２】
【補正対象書類名】明細書
【補正対象項目名】００６６
【補正方法】変更
【補正の内容】
【００６６】
第３の位置は、起動したすなわち使用中の位置として設けられる。患者用針マニホルド２２０がボタン送り台３２０の摺動可能な移動に対して動かないままであるので、第３の位置は、ボタン送り台が摺動可能に係合するように設けられ、患者用針マニホルドの溝２２１は、第２組の移動止め３２８から外れ、トラック開口３２５に整列するまでトラック３２４内に位置したままであり、次に、自由な状態になり、ボタン送り台３２０から自由になる。この第３の位置において、隔壁１６０は、突き通され、２つとも以下に詳細に述べられるマニホルド及び安全機構が、解放され、バネ３１０により駆動され、使用者の皮膚表面に向かって強制的に押し下げられる。示される実施態様において、隔壁１６０を突き通し、隔壁用針ブーツ３４０を押し付け、患者用針マニホルド２２０を解放し、この第３の位置に移動させるのに必要とされる力は、典型的には、２〜４ポンド（約８．９〜１７．８Ｎ）である。
【手続補正３】
【補正対象書類名】明細書
【補正対象項目名】００８０
【補正方法】変更
【補正の内容】
【００８０】
図１６Ａ〜１６Ｃに示される実施態様の下部ハウジング１８０内のボタン送り台アセンブリ１８２の係合は、取り扱い及び製造要件を改善することに加えて、全体的により低い装置形状を提供する。可撓性チューブ１９０は、実施態様にさらに簡単に適合し、より簡単化された押しボタン送り台を可能とする。
【手続補正４】
【補正対象書類名】明細書
【補正対象項目名】００８２
【補正方法】変更
【補正の内容】
【００８２】
本発明に従って送出され得るさらに他の物質は、薬剤を用いて病気の予防、診断、軽減治療あるいは回復に使用される薬剤、ワクチンなどである。該薬剤は、アルファ１（Alpha-1）抗トリプシン、抗腫瘍起因性血管形成剤、アンチセンス、ブトルファノ−ル、カルシトニン及びその類似物、セレダーゼ（Ceredase）（登録商標）、ＣＯＸ−ＩＩ阻害薬、皮膚薬、ジヒドロエルゴタミン、ドーパミン作用薬及びその拮抗薬、エンケファリン及びその他のアヘン様作用ペプチド、上皮細胞増殖因子、赤血球生成促進因子及びその類似物、濾胞刺激ホルモン、顆粒状コロニー刺激因子、グルカゴン、顆粒状マクロファージコロニー刺激因子、グラニセトロン、成長ホルモン及びその類似物（成長ホルモン放出ホルモンを含む）、成長ホルモン拮抗薬、ヒルジン及びヒルログのようなヒルジン作用薬、免疫グロブリンＥ抑制遺伝子、インスリン、インスリノトロピン及びその類似物、インスリン様成長因子、インターフェロン、インターロイキン、黄体形成ホルモン、黄体化ホルモン放出ホルモン及びその類似物、低分子へパリン、マクロファージコロニー刺激因子、メトクロプラミド、ミダゾラム、モノクロナル抗体、麻酔性鎮痛薬、ニコチン、非ステロイド抗炎症性剤、オリゴ糖類、オンダンセトロン、副甲状腺ホルモン及びその類似物、副甲状腺ホルモン拮抗薬、プロスタグランジン拮抗薬、プロスタグランジン、組み換え型可溶レセプター、スコポラミン、セロトニン作用薬及びその拮抗薬、シルデナフィル、テルブタリン、血栓溶解薬、ヒト組織プラスミノゲン活性化因子、腫瘍壊死因子及び腫瘍壊死因子拮抗薬を含んでおり、担体／補助剤の有無にかかわらず、ワクチンは、中毒、関節炎、コレラ、コカイン中毒、ジフテリア、破傷風、ヘモフィルス・インフルエンザｂ型菌、ライム病、髄膜炎菌、はしか、おたふく風邪、風疹、水痘、黄熱、呼吸器多核合胞体ウイルス、ダニ媒介日本脳炎、肺炎双球菌、連鎖球菌、腸チフス、インフルエンザ、肝炎Ａ、Ｂ、Ｃ及びＥを含む肝炎、中耳炎、狂犬病、ポリオ、ヒト免疫不全ウイルス、パラインフルエンザウイルス、ロータウイルス、エプスタイン・バーウイルス、サイトメガロウイルス、クラジミア、無莢膜型ヘモフィルス属、モラクセラ・カタラーリス、ヒト乳頭腫ウイルス、ＢＣＧを含む結核菌、淋病、喘息、アテローム性動脈硬化、マラリア、大腸菌、アルツハイマー病、ヘリコバクターピロリ菌、サルモネラ菌、糖尿病、癌、単純疱疹、ヒト乳頭腫に関連する予防薬及び治癒効果のある抗原（プロテイン、ペプチド及び多糖類、多糖類複合体、トキソイド、遺伝を基礎にするワクチン、生の、弱毒化された、遺伝子交雑の、非働性の全細胞、ウイルス性及び細菌性のベクターを含んでいる）を含んでおり、及び同様のその他の物質は、例えば、感冒用薬品、抗中毒、抗アレルギー、抗吐薬、抗肥満症、抗骨粗しょう症、抗感染症、鎮痛薬、麻酔薬、食欲不振、抗関節炎薬、抗喘息薬、抗偏頭痛準備薬、乗り物酔い予防準備薬、鎮嘔吐薬、抗新生物薬、抗パーキンソン症候群薬、かゆみ止め、抗精神病薬、解熱剤、抗コリン作用薬、ベンゾジアゼピン拮抗薬、全身、心臓、抹消及び大脳、骨刺激薬、中枢神経刺激薬、ホルモン、催眠薬、免疫抑制薬、筋弛緩剤、副交感神経遮断薬、副交感神経作用薬、プロスタグランジン、プロテイン、ペプチド、ポリペプチド及びその他の高分子を含む血管拡張神経薬、精神刺激剤、鎮静剤、性機能低下及びトランキライザーのような重要な治療法、及び、例えば、ツベルクリン及びその全内容が参照により本明細書に組み込まれている、発明の名称が「皮内に物質を注射する方法」である米国特許第６，５６９，１４３号明細書に記載されているようなその他の過敏症薬のような重要な診断法の全てを含んでいる。
【手続補正５】
【補正対象書類名】明細書
【補正対象項目名】０１０９
【補正方法】変更
【補正の内容】
【０１０９】
図１９Ａ〜１９Ｄの装置は、頂部ハウジング４１０及び硬い底部４１５、バネ・ロック・ピン４２０、押しボタン４３０、マニホルド４４０、皿バネ４６０及び容器蓋４８０を含んでいる。マニホルド４４０は、１又はそれ以上の患者用針４４２及び隔壁４４６を突き刺す少なくとも１本の隔壁用針４４４をさらに含んでいる。
【手続補正６】
【補正対象書類名】明細書
【補正対象項目名】０１１４
【補正方法】変更
【補正の内容】
【０１１４】
図２０に示される第３実施態様において、装置は、ボタンが頂部ハウジング５１０に対して所定位置に、また板バネ５２０の力に抗して、容器底５４０をもはや保持しなくなるまで、ボタン５５５を装置の中心に向かって摺動することにより起動される。容器システムの一部、容器頂部５２５は、好ましくは硬質であり、バネは負荷がかけられ、容器蓋５３５は、容器底５４０に封止的に連結されているので、容器システムは、今や単一ユニットとして患者の皮膚に向かって下方に移動する。このとき、針マニホルドは、装置の底部ハウジング５６０の底に達する。隔壁５４５は、また、容器底５４０に配置され得る。針収容マニホルド５５０は、硬質の空気袋アセンブリに取付けられ、患者用針が皮膚を突き刺すまで、マニホルド５５０もまた患者の皮膚に向かって移動する。容器アセンブリは、僅かに下方に向かって進み続け、流体アクセス用釘、すなわち隔壁用針に隔壁５４５を貫通させ、それにより、容器から患者用針又は複数の針を介して流体の流れを開始させる。